(57)【要約】【課題】作業者が配管用のスリーブを適切な位置に保持することを、手間をかけず容易かつ確実に行うこと。【解決手段】コンクリートの打設時に埋設する配管用のスリーブを保持するためのスリーブ保持部と、前記スリーブ保持部を鉄筋に固定する固定部と、前記スリーブ保持部と前記固定部との間隔を調整・維持する高さ調整部と、を有するスリーブ保持具であって、前記高さ調整部は、前記スリーブ保持部から起立したアームと、前記固定部に連結したアーム把持部とからなり、前記アームと前記アーム把持部との摩擦もしくは複数の凹凸部の嵌合によって間隔が調整、維持されることを特徴とする。【選択図】図１
2007071014.tif 000002
【特許請求の範囲】
【請求項１】
コンクリートの打設時に埋設する配管用のスリーブを保持するためのスリーブ保持部と、
前記スリーブ保持部を鉄筋に固定する固定部と、
前記スリーブ保持部と前記固定部との間隔を調整・維持する高さ調整部と、を有するスリーブ保持具であって、
前記高さ調整部は、前記スリーブ保持部から起立したアームと、前記固定部に連結したアーム把持部とからなり、前記アームと前記アーム把持部との摩擦もしくは複数の凹凸部の嵌合によって間隔が調整、維持されることを特徴とするスリーブ保持具。
【請求項２】
請求項１に記載のスリーブ保持具であって、
前記高さ調節部は、高さ方向に等間隔に連続的に設けた複数の凹凸形状の嵌合溝と該嵌合溝の形状と嵌合する嵌合突起とを嵌合させることにより、高さの調節を段階的に行いうることを特徴とするスリーブ保持具。
【請求項３】
請求項１又は２に記載のスリーブ保持具であって、
前記高さ調節部には、前記嵌合溝と前記嵌合突起とを締結する締結部材の摺り下がりを防止する摺り下がり防止機構を有することを特徴とするスリーブ保持具。
【請求項４】
請求項１乃至３のいずれかに記載のスリーブ保持具であって、
前記アームは、側面に断続的なリブが形成され、前記アーム把持部はＣ字状断面であり、前記アームが前記アーム把持部の内部を摺動して間隔調整がなされ、筒体内面とリブとの摩擦にて間隔が維持され、アームの摺動領域は鉄筋と交錯しないように配置されることを特徴とするスリーブ保持具。
【請求項５】
請求項１乃至４のいずれかに記載のスリーブ保持具であって、
前記嵌合溝の複数の凹凸形状の間隔は、建物のモジュールと配管の勾配とにより決定されることを特徴とするスリーブ保持具。
【請求項６】
請求項１乃至５のいずれかに記載のスリーブ保持具であって、
前記嵌合溝の複数の凹凸形状の近傍には、保持する前記スリーブの高さを表す高さ表示が付されていることを特徴とするスリーブ保持具。
【請求項７】
配管用のスリーブを設置するスリーブ設置方法において、
請求項６に記載のスリーブ保持具と、
請求項６に記載のスリーブ保持具の平面的な設置位置と該スリーブ保持具の前記高さ表示が記載された建物の施工図と、を有し、
前記施工図に記載された前記高さ表示を確認し、前記高さ表示と前記スリーブ保持具の高さ表示とを一致させるように前記高さ調節部を調節した後、前記スリーブ保持具を前記施工図に記載された前記平面的な設置位置に設置することを特徴とするスリーブ設置方法。
【請求項８】
コンクリートの打設時に埋設する配管用のスリーブを保持するためのスリーブ保持部と、
前記スリーブ保持部を鉄筋に固定する固定部と、を有し、
前記固定部は、鉄筋の軸方向に所定の長さを有するとともに所定の曲率を有する円弧断面の第一支持部と、前記第一支持部と同一の曲率と前記第一支持部より短い長さとを有し前記第一支持部の一方の円弧端を支点として回動自在に連結する円弧断面の第二支持部と、前記第一支持部よりも大きな曲率の円弧断面で、前記第一支持部と同一の軸方向長さと前記第二支持部よりも長い弧長を有し、前記第二支持部と同一側の円弧端に前記第二支持部と重なる部分を切り欠いて固定的に連結する第三支持部と、前記第三支持部と同一の曲率と同一の軸方向長さとを有し、前記第三支持部における前記第一支持部と非連結の円弧端に回動自在に連結する円弧断面の第四支持部と、から構成され、
前記第一支持部乃至前記第四支持部は、外側へ開く方向に押される力に対する復元力を有し、
前記第一支持部の他方の円弧端は、前記第四支持部の円弧端を前記所定の曲率で延長した円弧上に位置し、
前記第二支持部の外面の円弧方向の中央部には、前記第二支持部の円弧と前記第一支持部の円弧の中心が一致した場合に前記第三支持部の切欠部の弦に接する高さを持った突起部を有することを特徴とするスリーブ保持具。
【請求項９】
請求項８に記載のスリーブ保持具であって、
前記第一支持部は、両円弧端を含む面がスリーブを配置する壁もしくは梁の面と平行であることを特徴とするスリーブ保持具。
【発明の詳細な説明】
【技術分野】
【０００１】
本発明は、鉄筋コンクリート構造物の施工時に設ける配管用のスリーブを保持するためのスリーブ保持具及びスリーブ設置方法に関するものである。
【背景技術】
【０００２】
従来、鉄筋コンクリート構造物のコンクリートを打設する際、梁や壁に配管を貫通させる貫通孔を形成する為に予め梁や壁の内部にスリーブを埋設することが行われており、このスリーブを所定の位置に保持する為のスリーブ保持具の提案がなされている。このスリーブ状の保持具は、鉄筋に保持具を固定するための固定部と、スリーブを保持するスリーブ保持部と、前記固定部と前記スリーブ保持部とを連結する連結部と、から構成されている（例えば、特許文献１乃至４参照）。
【０００３】
【特許文献１】特開２００４−２４４９８６（図１）
【特許文献２】特開２００２−４７７９６（図２）
【特許文献３】特開２０００−２４８７３９（図１）
【特許文献４】特開昭６３−４４０３７（図３）
【発明の開示】
【発明が解決しようとする課題】
【０００４】
しかしながら、前述の特許文献１乃至３においては、連結部の長さが一定であるため、固定部と保持部との距離を調節することができない。このため、スリーブの位置がスリーブを支持する鉄筋の位置によって制限され、所望の位置にスリーブを配置し難いという問題があった。
【０００５】
また、特許文献４に開示されたスリーブ保持構造は、スリーブの高さを調節することができる構成ではあるが、縦長の溝に挿通したネジを締付けて無段階に固定する構成である。このような構成であると、締付け作業に手間がかかるという問題、高さの設定の目安になるものが無く手間がかかり、排水管のように配管に所定の勾配をつける場合において配管の長さに応じてスリーブの高さをスリーブ毎に変化させる必要があり更に手間がかかるという問題などがあった。
【０００６】
さらに、特許文献１乃至４に開示されたいずれのスリーブ保持具（固定具）においても異なる径の鉄筋には対応しがたく、スリーブに近接する鉄筋径に応じて複数種のスリーブ保持具（固定具）を用意しなければならないという問題があった。
【０００７】
本発明の目的は、作業者が配管用のスリーブを適切な位置に保持することを、手間をかけず容易かつ確実に行うことができ、更に鉄筋の径によらず鉄筋の芯からスリーブまでの間隔を一定に保つことができるスリーブ保持具を提供することである。
【課題を解決するための手段】
【０００８】
前記目的を達成するための本発明に係る手段は次の通りである。
【０００９】
第１の手段としての第１のスリーブ保持具は、コンクリートの打設時に埋設する配管用のスリーブを保持するためのスリーブ保持部と、前記スリーブ保持部を鉄筋に固定する固定部と、前記スリーブ保持部と前記固定部との間隔を調整・維持する高さ調整部と、を有するスリーブ保持具であって、前記高さ調整部は、前記スリーブ保持部から起立したアームと、前記固定部に連結したアーム把持部とからなり、前記アームと前記アーム把持部との摩擦もしくは複数の凹凸部の嵌合によって間隔が調整、維持されることを特徴とするスリーブ保持具である。
【００１０】
第２の手段としての第２のスリーブ保持具は、第１のスリーブ保持具であって、前記高さ調節部は、高さ方向に等間隔に連続的に設けた複数の凹凸形状の嵌合溝と該嵌合溝の形状と嵌合する嵌合突起とを嵌合させることにより、高さの調節を段階的に行いうることを特徴とするスリーブ保持具である。
【００１１】
第３の手段としての第３のスリーブ保持具は、第１又は２のスリーブ保持具であって、前記高さ調節部には、前記嵌合溝と前記嵌合突起とを締結する締結部材の摺り下がりを防止する摺り下がり防止機構を有することを特徴とするスリーブ保持具である。
【００１２】
第４の手段としての第４のスリーブ保持具は、第１乃至３のいずれかのスリーブ保持具であって、前記アームは側面に断続的なリブが形成され、前記アーム把持部はＣ字状断面であり、前記アームが前記アーム把持部の内部を摺動して間隔調整がなされ、筒体内面とリブとの摩擦にて間隔が維持され、アームの摺動領域は鉄筋と交錯しないように配置されることを特徴とするスリーブ保持具である。
【００１３】
第５の手段としての第５のスリーブ保持具は、第１乃至４のいずれかに記載のスリーブ保持具であって、前記嵌合溝の複数の凹凸形状の間隔は、建物のモジュールと配管の勾配とにより決定されることを特徴とするスリーブ保持具である。
【００１４】
第６の手段としての第６のスリーブ保持具は、第１乃至５のいずれかに記載のスリーブ保持具であって、前記嵌合溝の複数の凹凸形状の近傍には、保持する前記スリーブの高さを表す高さ表示が付されていることを特徴とするスリーブ保持具である。
【００１５】
第７の手段としての配管用のスリーブを設置するスリーブ設置方法は、第６のスリーブ保持具と、第６のスリーブ保持具の平面的な設置位置と該スリーブ保持具の前記高さ表示が記載された建物の施工図と、を有し、前記施工図に記載された前記高さ表示を確認し、前記高さ表示と前記スリーブ保持具の高さ表示とを一致させるように前記高さ調節部を調節した後、前記スリーブ保持具を前記施工図に記載された前記平面的な設置位置に設置することを特徴とするスリーブ設置方法である。
【００１６】
第８の手段としての第７のスリーブ保持具は、コンクリートの打設時に埋設する配管用のスリーブを保持するためのスリーブ保持部と、前記スリーブ保持部を鉄筋に固定する固定部と、を有し、前記固定部は、鉄筋の軸方向に所定の長さを有するとともに所定の曲率を有する円弧断面の第一支持部と、前記第一支持部と同一の曲率と前記第一支持部より短い長さとを有し前記第一支持部の一方の円弧端を支点として回動自在に連結する円弧断面の第二支持部と、前記第一支持部よりも大きな曲率の円弧断面で、前記第一支持部と同一の軸方向長さと前記第二支持部よりも長い弧長を有し、前記第二支持部と同一側の円弧端に前記第二支持部と重なる部分を切り欠いて固定的に連結する第三支持部と、前記第三支持部と同一の曲率と同一の軸方向長さとを有し、前記第三支持部における前記第一支持部と非連結の円弧端に回動自在に連結する円弧断面の第四支持部と、から構成され、前記第一支持部乃至第四支持部は、外側へ開く方向に押される力に対する復元力を有し、前記第一支持部の他方の円弧端は、前記第四支持部の円弧端を前記所定の曲率で延長した円弧上に位置し、前記第二支持部の外面の円弧方向の中央部には、前記第二支持部の円弧と前記第一支持部の円弧の中心が一致した場合に前記第三支持部の切欠部の弦に接する高さを持った突起部を有することを特徴とするスリーブ保持具である。
【００１７】
第９の手段として、第８のスリーブ保持具は、第８のスリーブ保持具であって、前記第一支持部は、両円弧端を含む面がスリーブを配置する壁もしくは梁の面と平行であることを特徴とするスリーブ保持具である。
【発明の効果】
【００１８】
第１の手段である第１のスリーブ保持具によれば、アームとアーム把持部との摩擦もしくは複数の凹凸部の嵌合によって間隔が調整、維持されるため、確実かつ段階的に高さ調節を容易に行うことができる。
【００１９】
第２の手段である第２のスリーブ保持具によれば、嵌合溝と嵌合突起を嵌合させて高さ調節を行う構成において、嵌合溝が連続的に形成される凹凸形状であるため、段階的に嵌合させることができ、高さ調整を簡単に行うことができる。また、専用の工具等を必要とせず、前記高さ調節部の嵌合溝と嵌合突起を嵌合させるという簡単な作業でスリーブの高さを調節することができる。
【００２０】
第３の手段である第３のスリーブ保持具によれば、締結部材が嵌合突起が嵌合溝から脱落することを防ぎ、締結部材の摺り下がりを防止する摺り下がり防止機構を有する。このため、締結部材が確実に嵌合溝と嵌合突起とを保持し、高さ調節部の長さ調節後のスリーブの高さを確実に維持することができる。
【００２１】
第４の手段である第４のスリーブ保持具によれば、調整過程において、摺動させて調整するため、円滑に高さ調節を行うことができる。また、アームがアーム把持部に内包されるので外れることがない。また、調整過程でアームと鉄筋とが緩衝しないため、調整しろが大きいという利点もある。
【００２２】
第５の手段である第５のスリーブ保持具によれば、前記凹凸形状の間隔は、建物のモジュールと配管の勾配とにより決定される。これにより、例えば、前記モジュールと前記配管の勾配とを掛け合わせた値を前記複数の凹凸形状の前記所定の間隔としておくと、勾配を必要とする配管経路上に配設する２つのスリーブ保持具の離間寸法１モジュールにつき、凹凸形状を嵌合させる位置を所定量ずらすことで、確実に所望の勾配を得ることができる。
【００２３】
第６の手段である第６のスリーブ保持具によれば、前記凹凸形状の近傍に、スリーブの高さを表す高さ表示が付されている。このため、スリーブの高さを調節する際に数字を見ることで確実に前記嵌合突起の嵌合すべき場所がわかる。
【００２４】
第７の手段である第６のスリーブ保持具を用いたスリーブ設置方法によれば、作業者は施工図を確認し、施工図に記載されている前記高さ表示を見て、対応する高さ表示が付してある前記凹凸形状の嵌合溝に前記嵌合突起を嵌合させれば、確実に前記高さ調節部の長さを所望の長さに設定することができる。これにより、施工図で指示された場所に適切な長さの高さ調節部を有するスリーブ保持具が設置されることなる。そして、特に配管に所定の勾配を要する場合、施工現場で配管の長さや勾配をもとにスリーブの設置高さを算出する手間をかけることなく、適切な勾配が得られるようにスリーブを設置することができる。
【００２５】
第８の手段である第７のスリーブ保持具によれば、固定部において、第一支持部、第二支持部、第三支持部、及び所定の曲率を有する円弧によって、複数箇所で当接支持される。このため、異なる径の鉄筋に対して、確実にスリーブ保持具を固定することができる。
【００２６】
第９の手段である第８のスリーブ保持具によれば、鉄筋の径が異なっても鉄筋の芯からスリーブまで距離が変動することがない。したがって、鉄筋の径にかかわらず鉄筋の芯を所定の位置に保つことで、常に鉄筋の芯を基準にスリーブの位置設定を行なうことができる。
【発明を実施するための最良の形態】
【００２７】
〔第１実施形態〕
図を用いて、本実施形態に係るスリーブ保持具１について説明する。図１（ａ）にスリーブ保持具１の正面図を、図１（ｂ）にスリーブ保持具１の側面図を、図２にスリーブ保持具１の使用状態を示す斜視図を示す。
【００２８】
（スリーブ保持具１の概略構成）
図１及び図２に示すように、本実施形態のスリーブ保持具１は、スリーブ保持部２と、固定部３と、高さ調節部４とから構成される。スリーブ保持具１の各部は、合成樹脂等の可撓性を有する材質によって構成されている。
【００２９】
（スリーブ保持具１の各部構成）
スリーブ保持部２は、図１及び図２に示すように、断面略Ｃ字状に構成されており、下方に当該Ｃ字状の開口を有する。スリーブ保持部２は可撓性を有しているため、前記Ｃ字状の開口から、配管を貫通させるために配設される紙製又は塩化ビニール製等のスリーブ10をＣ字状の開口から入れることができる（図２参照）。これにより、スリーブ10は、スリーブ保持部２に把持されることで、その位置が保持される。
【００３０】
尚、本実施形態においては下方に開口を有する断面略Ｃ字状の構成としたが、これに限るものではなく、側方に開口がある構成としてもよい。また、スリーブ10を保持できる構成であれば、断面略Ｃ字状に限るものではない。
【００３１】
また、図１及び図２に示すように、スリーブ保持部２のＣ字状の開口部の両端には細い針金（結束線）を引掛けるための結束線固定部５が形成されている。スリーブ保持具１の使用時には、図２に示すように、結束線12の一端を結束線固定部５に固定し、結束線の他端をスリーブ保持具１の下方の鉄筋11ｂに固定する。
【００３２】
これにより、スリーブ保持具１の下方の開口が開いてスリーブが脱落するおそれがない。さらに、スリーブ保持具１は３方向から引っ張られて位置が安定し、コンクリート打設時に流動性のあるコンクリートに押されても移動するおそれがない。このため、スリーブ保持具１及びスリーブ10の位置決めを確実にすることができる。
【００３３】
尚、結束線固定部５の形状は、本実施形態のように結束線を引掛けて固定する構成に限るものではなく、穴を形成するなどして結束線を貫通させて固定する構成としてもよい。
【００３４】
固定部３は、断面が略Ｃ字状の構成で、可撓性を有する材質にて構成される。当該Ｃ字状の開口があることにより、固定部３はスリーブ保持具１の上方の鉄筋11ａを把持する。これにより、スリーブ保持具１を鉄筋11ａに対して固定することができる。
【００３５】
尚、略Ｃ字状の開口は側方にあるので、スリーブ保持具１に上下方向の力が加わっても鉄筋11ａから外れるおそれがない。ここで、外れないことを更に確実にするため、本実施形態においては、結束手段固定突起３ａ、３ｂを配設する。この構成により、締結部材としての結束バンド13（図２参照）等の結束手段を、結束手段固定突起３ａと３ｂとに架け渡すことができる。結束バンド13により結束手段固定突起３ａ、３ｂ間で強く結束されると、固定部３が更に確実に鉄筋11ａを把持することとなる。
【００３６】
尚、結束手段固定突起３ａの側方には、図２に示すように、切欠部３ｃが形成されている。切欠部３ｃがあることにより、結束バンド13にて結束手段固定突起３ａ、３ｂを結束した時に、結束手段固定突起３ａ側が結束手段固定突起３ｂ側に撓んで鉄筋11ａと密着する。このため、固定部３による鉄筋11ａの把持力は、より確実なものとなる。
【００３７】
高さ調節部４は、スリーブ保持部２から起立したアームと、固定部３に連結したアーム把持部とからなり、前記アームと前記アーム把持部とは、複数の凹凸部の嵌合によって間隔が調整、維持される。
【００３８】
高さ調節部４のアームは、図１に示すように、スリーブ保持部２に一体的に構成される内部４ａと、固定部３に一体的に構成される外部４ｂとがある。そして、アーム把持部が嵌合することにより構成される。
【００３９】
高さ調節部４の内部４ａの上部側面には、高さ方向に等間隔に連続的に設けた凹凸形状の嵌合突起４ａ１が形成される。本実施形態においては、嵌合突起４ａ１は、高さ調節部４の内部４ａの上部側面の所定位置に三角形状の複数の山及び谷が連続して等間隔に形成されたものである。
【００４０】
また、内部４ａの前面側の嵌合突起４ａ１近傍には、結束バンド14を挿通させるための穴７ａ（図１（ｂ）参照）が設けられた係止部７が突出している。
【００４１】
一方、高さ調節部４の外部４ｂには、内部４ａの嵌合突起４ａ１が入り込んで嵌合するため、こちらも高さ方向に等間隔に連続的に設けた凹凸形状の嵌合溝４ｂ１が形成される。本実施形態においては、凹凸形状の嵌合溝４ｂ１は、三角形状の複数の山及び谷が連続して形成された形状である。また、高さ調節部４の外部４ｂの側面には、摺り下がり防止機構としての複数の摺り下がり防止突起８が配設されている。
【００４２】
この構成により、高さ調節部４を一体的にする際には、内部４ａを水平方向に移動させて、内部４ａの嵌合突起４ａ１を外部４ｂの嵌合溝４ｂ１に嵌合するように嵌め込む。嵌合突起４ａ１は嵌合溝４ｂ１に嵌入するため、上下方向の移動が規制される。また、嵌合溝４ｂ１の対向する山と山の間の距離は、内部４ａの幅Ｗ（図１（ａ）参照）にほぼ等しいので、内部４ａは左右方向にも移動しない。こうして、内部４ａと外部４ｂとは、高さ調節部４として一体的に形成される。
【００４３】
しかし、嵌合突起４ａ１と嵌合溝４ｂ１とは、互いに嵌合をしているものの、前後方向の動きは特に規制する手段はない。このため、嵌合突起４ａ１と嵌合溝４ｂ１の嵌合が外れるおそれがある。また、スリーブもしくはスリーブ保持部２に下向きの外力が加わった場合、内部４ａの嵌合突起４ａ１が外部４ｂの嵌合溝４ｂ１を左右方向に押し広げて嵌合が外れるおそれもある。
【００４４】
これを防止するため、嵌合突起４ａ１と嵌合溝４ｂ１とを嵌合させた後、嵌合突起４ａ１の表面に付帯された係止部７に対して図２に示すように結束バンド14を挿通させ、結束バンド14により内部４ａと外部４ｂとを締着させる。
【００４５】
ここで、外部４ｂの側面には、摺り下がり防止突起８が形成されているので、締着させた結束バンド14が外部４ｂの側面に圧接してずり落ちることがない。こうして内部４ａと外部４ｂとが、嵌合突起４ａ１と嵌合溝４ｂ１との嵌合、及び結束バンド14による締結により確実に一体となり、スリーブ保持具１は、鉄筋11ａから所定の位置を保ってスリーブ10の高さを規定することができることとなる。
【００４６】
なお、本実施形態では係止部７と摺り下がり防止突起８を併用しているが、いずれか一方のみであっても結束バンド14による内部４ａと外部４ｂとを締着し嵌合を確実なものとすることができる。
【００４７】
（スリーブ保持具１の高さ調節方法）
高さ調節部４は、嵌合溝４ｂ１と、嵌合突起４ａ１とを嵌合させることによって、高さの調節を段階的に行いうる。これにより、スリーブ保持部２と固定部３との距離を変更することができ、鉄筋11ａに設置されたスリーブ保持具１に保持されるスリーブ10の高さを調節することができる。これについて次に具体的に説明する。
【００４８】
前述のように、外部４ｂには、等間隔に連続した山形状を有する嵌合溝４ｂ１が形成されている。そして、各々の山形状に対応して、一定の法則で番号が付されている。本実施形態においては、上から１つおきに１６〜０の番号が付されている。この番号は、高さ調節部４の長さの表示（高さ表示）であり、下に行くにつれて小さい数字となっている。
【００４９】
ここで、高さ調節部の内部４ａには、嵌合突起４ａ１付近に、嵌合の基準となるマーク６が描かれている。このため、内部４ａの嵌合突起４ａ１近傍に描かれているマーク６を基準として、外部４ｂに記載されている番号の所望の嵌合溝４ｂ１に対して嵌め込むと、高さ調節部４の長さが調節される。
【００５０】
本実施形態の図１においては、内部４ａに描かれているマーク６を、外部４ｂの嵌合溝４ｂ１の中で番号１６が記載されている溝に合わせるようにしている。
【００５１】
高さ調節部４の長さを短くしようとする場合には、内部４ａのマーク６を、番号の大きい箇所の嵌合溝４ｂ１に合わせる。例えば、マーク６を番号１６のついた箇所の嵌合溝４ｂ１に合わせると、高さ調節部４は最も短くなる。
【００５２】
一方、高さ調節部４の長さを長くしようとする場合には、内部４ａのマーク６を、番号の小さい箇所の嵌合溝４ｂ１に合わせる。例えば、マーク６を番号０のついた箇所の嵌合溝４ｂ１に合わせると、高さ調節部４は最も長くなる。
【００５３】
ここで、嵌合溝４ｂ１の各山形状の間隔（ピッチ）について説明する。山形状のピッチは、スリーブ保持部２で保持するスリーブ10（図２参照）及びこのスリーブ10にガイドされる配管に勾配をつけるために、建物のモジュールに対して、必要なスリーブ10又は配管の勾配に応じて形成することが好ましい。
【００５４】
即ち、ひとつの配管系路上に２つのスリーブ保持具１をそれぞれ配設する場合、２つのスリーブ保持具１の間の配管長さ１モジュールにつき、嵌合溝４ｂ１の山形状の番号を１つずらした位置にマーク６のある嵌合突起４ａ１を嵌め込めば、所望の配管の勾配がつくように構成することが好ましい。
【００５５】
例えば、モジュールの値が３０５ｍｍで、配管の勾配を１／５０とする場合、嵌合溝４ｂ１において、隣の番号が付されている山形状のピッチは３０５×１／５０＝６．１ｍｍとなるように形成するとよい（図１（ａ）参照）。
【００５６】
このように構成することで、配管長さがモジュールの何倍であるかを把握し、その倍数に応じて２つののスリーブ保持具の間で、嵌合突起４ａ１のマーク６を合わせる嵌合溝４ｂ１の番号の位置をずらすと、スリーブに所望の高低差をつけることができる。そのため、スリーブ内に配設される配管にも同様に、所望の勾配をつけることができる。
【００５７】
（スリーブ保持具１の高さ決定方法の具体例）
次に図面を用いて具体的に説明する。図３は住宅の基礎工事の際に使用される施工図（基礎伏図）の一部である。図４は配管が挿通されるスリーブ10を保持する様子を示す図である。
【００５８】
図３に示された住宅はモジュールが３０５ｍｍであり、図中の一点鎖線は布基礎の中心位置を示す通り芯を表し、通り芯相互の間隔はモジュールの整数倍となるように構成されている。通り芯を中心とした等間隔の平行な実線は布基礎の配置を表し、２点鎖線は排水経路を表し、塗りつぶしの三角はスリーブ配設位置を表している。なお、一般に基礎伏図に間取りが表記されることは少ないが、本図においては便宜上、間仕切り壁、建具、水回り設備等を点線にて表記してある。
【００５９】
また、図４に示すように基礎断面は逆Ｔ字形状であり、上方と下方には夫々全長に渡って所定の高さに水平な鉄筋（主筋）配置され、主筋は縦方向の鉄筋（スターラップ）を溶接する、あるいは結束線で結束するなどして所定の間隔が保持される。
【００６０】
スターラップは、通り芯からモジュールの半分（１５２．５ｍｍ）だけずらした位置にモジュールと同一ピッチ（３０５ｍｍ間隔）で配置される。従って、スリーブと排水方向の通り芯との離隔寸法をモジュールの整数倍とすれば、スリーブとスターラップが干渉することがない。また、排水管を基礎グリッドの内部で直角に屈折させる場合でもスリーブ管の排水管の長さはほぼモジュールの整数倍とすることができる。
【００６１】
また、排水管を建物の外部に抜く位置における排水管の高さ（最下流のスリーブの高さ）は夫々の排水経路で同一とし、この高さを基準として上流のスリーブの高さが決定される。
【００６２】
図３において、排水管を建物外部に抜く位置（基準位置）をＡとし、建物の内部の基礎を排水管が貫通する位置（設置位置）をＢとする。図３に示すように、設置位置Ｂは、基準位置Ａから縦方向に１２２０ｍｍ、横方向に９１５ｍｍの位置とする。
【００６３】
基準位置Ａと設置位置Ｂとの間で配管の勾配１／５０を確保するためには、排水管の長さに応じて基準位置Ａと設置位置Ｂとの高さの差を決定する必要がある。ここで通常、排水管はエルボによって直角に曲げられるため、基準位置Ａから設置位置Ｂまでの配管の長さは１２２０＋９１５＝２１３５ｍｍとなる。即ち、モジュールの７倍の長さになる。
【００６４】
このため、鉄筋11ａの高さが一定の場合、モジュールの７倍の長さの配管に適切な勾配をつけるためには、基準位置Ａに配設されるスリーブ保持具１の長さよりも、設置位置Ｂに配設されるスリーブ保持具１の長さの方を、２１３５×１／５０＝４２．７ｍｍだけ短くするとよい。このように構成すると、モジュールの７倍の長さの排水管に適切な勾配をつけることができる。
【００６５】
ここで前述のように、スリーブ保持具１の高さ調節部４の高さ表示は、モジュール１つ分が隣の番号が付されている位置（２つ隣の山形状の位置）に対応している。このため、内部４ａのマーク６を嵌め込む外部４ｂの山形状の溝の位置を、基準位置Ａに配設するスリーブ保持具１よりも設置位置Ｂに配設するスリーブ保持具１の方が７つ上の番号となるようにすれば、モジュールの７倍の長さの排水管に適切な勾配をつけることができる。
【００６６】
このように、スリーブ保持具１の間の距離がモジュールの何倍かを把握すれば、作業者はその倍数と同じだけ外部４ｂ上の番号を移動させればよい。これによって、基準位置Ａと設置位置Ｂとの間で必要な高さの差、２１３５×１／５０＝４２．７ｍｍを容易に得ることができる。
【００６７】
このように、高さ調節部４の外部４ｂの番号のピッチが、モジュールに対応している。このため、スリーブ保持具１を鉄筋11ａに設置する場合には、次のようにすればよい。
【００６８】
即ち、まずスリーブ10を配設する基準位置Ａから設置位置Ｂまでの配管の長さを計測する。そして、基準位置Ａから設置位置Ｂまでの長さがモジュールの何倍に対応するか把握する。次に、設置位置Ｂのスリーブ保持具は、内部４ａのマーク６を嵌め込む外部４ｂの嵌合溝４ｂ１の番号を、基準位置Ａのスリーブ保持具よりも前記の倍数分だけ上方にずらすように嵌め込む。最後に、鉄筋11ａに固定部３を取り付ける。
【００６９】
これにより、排水管の長さを把握するだけで、スリーブ10に、適切な配管の勾配が得られる高低差をつけることができ、作業効率を向上させることができる。
【００７０】
本実施形態においては、基準位置Ａから設置位置Ｂまでの排水管の長さを把握してスリーブ保持具の調節部の嵌合位置を決定したが、これに限るものではない。例えば、建物の施工図に、予め机上で排水管の長さを求めこれに基づきスリーブ保持具の調節部の嵌合位置を施工図に表記しておくことで施工現場での作業の軽減を図ることができる。
【００７１】
具体的には、図３に示すように、基準位置Ａから設置位置Ｂまでの配管の長さが、モジュールの７倍に相当する場合、基準位置Ａの近傍に（０）、設置位置Ｂの近傍に（７）というように、高さ調節部４に付される番号を施工図に予め表記しておく。
【００７２】
施工現場において作業者が高さ調節部４の調節を行う際には、次のようにする。まず、施工図に表示された番号（本実施形態の場合は０〜１６）を確認する。次に表示された当該番号に応じた外部４ｂの嵌合溝４ｂ１にマーク６が合うように、内部４ａの嵌合突起４ａ１を嵌合させる。最後に、固定部３を鉄筋11ａに固定する。
【００７３】
これにより、現場において排水管の勾配や長さをもとにスリーブの配設高さを実際に計測せずとも、簡単かつ確実に高さ調節部４の長さを決定し、適切な高さにスリーブを配設することができる。
【００７４】
本実施形態のスリーブ保持具１は、樹脂材料で構成したことにより、成型加工が容易である。また、部品点数が少なく構成も簡単である。このような構成により、生産性が高いといった効果もある。
【００７５】
（本実施形態の変形例）
本実施形態においては、嵌合突起４ａ１及び嵌合溝４ｂ１の連続する凹凸形状として三角形状の山及び谷が連続した形状としたが、これに限るものではない。
【００７６】
例えば、図５（ａ）に示すように、連続した各々の山の形状が鉤状となるような嵌合突起４ａ２としてもよく、図５（ｂ）に示すように、半円状となるような嵌合突起４ａ３としてもよい。この場合、図５に示すように、外部４ｂ側の嵌合溝４ｂ２、４ｂ３の形状も、内部４ａの嵌合突起４ａ２、４ａ３の形状と嵌合するような形状にする必要がある。
【００７７】
本実施形態においては、嵌合突起４ａ１が形成された内部４ａと嵌合溝４ｂ１が形成された外部４ｂとにより構成されていたが、高さ調節部４はこれに限るものではない。
【００７８】
例えば、図６に示すように、スリーブ保持部２側の高さ調節部内部４ａの上部に嵌合突起４ａ４を形成する。一方、固定部３側の高さ調節部外部４ｂの下端を閉じた状態にし、その上に連続して空いた嵌合溝４ｂ４を形成する。このような構成により、嵌合突起４ａ４と嵌合溝４ｂ４とを、嵌合溝４ｂ４の横の番号に応じて嵌合させて、高さ調節部４の長さを調節することとしてもよい。
【００７９】
本実施形態においては、スリーブ保持部２側に高さ調節部の内部４ａが形成され、固定部３側に高さ調節部の外部４ｂが形成されていたが、これに限るものではない。
【００８０】
例えば、図７に示すように、スリーブ保持部２側に高さ調節部４の外部４ｂが形成され、固定部３側に高さ調節部４の内部４ａが形成され、それぞれの嵌合溝４ｂ５と嵌合突起４ａ５が嵌合して固定されることとしてもよい。
【００８１】
以上のような構成により、本実施形態によれば、建築物の基礎立上げ部や壁面等の任意な間隔で設置されている複数の垂直部に、排水管やドレン管等を貫通させるため各スリーブの設置高さを変え水勾配を確保しようとした場合、各スリーブの設置高さを容易に設定することが可能である。
【００８２】
即ち、施工図面に設置高さを示す記号が表記されていると、作業者はその記号と同じ表示箇所に高さ調節部の表示を合わせるように嵌合させるだけで高さ調節が可能である。このため、水道工事業者のような専門知識はなくとも、高さの調節を確実に行うことができる。この結果、現場の職種再編や、多能工化を推進することができる。
【００８３】
〔第２実施形態〕
図を用いて、本実施形態に係るスリーブ保持具について説明する。前述と同様の構成については、同符号を付し、説明を省略する。図８は第２実施形態の高さ調節部及びスリーブ保持部の構成を示す図であり、図８（ａ）はスリーブ保持具21の全体の正面図、図８（ｂ）は固定部23周辺を拡大した正面図、図８（ｃ）は固定部23周辺を拡大した背面図である。
【００８４】
（スリーブ保持具21の概略構成）
図８に示すように、本実施形態のスリーブ保持具21は、スリーブ保持部22と、固定部23と、アーム24と、アーム把持部25から構成される。ここで、固定部23の構成は、前述の固定部３と同様の構成であるため、説明を省略する。
【００８５】
（スリーブ保持具21の各部構成）
スリーブ保持部22は、図８に示すように、切込部22ａを除いて略円筒状に構成されている。スリーブ10の径が小さい場合には、スリーブ保持部22の内周にスリーブ10が収まるが、スリーブ10の径が大きい場合には、切込部22ａが開くことができる。また、スリーブ保持部22の外周には、補強をし且つ復元力をつけるためのリブ22ｂが形成される。リブ22ｂは、切込部22ａに向かうにつれて徐々に小さくなっている。これにより、スリーブ10は、スリーブ保持部22に把持される。
【００８６】
また、スリーブ保持部22の下部の３箇所には、細い針金（結束線）を通すための結束線固定部26ａ、26ｂ、26ｃが形成される。この構成により、スリーブ保持具21の使用時には、３箇所のうち、例えば２箇所を選択する。そして選択した２箇所の結束線固定部26に対して、結束線の一端を結束線固定部26に固定し、結束線の他端をスリーブ保持具21の下方の鉄筋（不図示）に固定する。これにより、位置決めされた後のスリーブ保持部22の高さを確実に維持することができる。
【００８７】
図８に示すように、本実施形態においては、スリーブ保持部22から起立したアーム24と、固定部23に連結したアーム把持部25とから高さ調節部が構成される。そして、アーム24とアーム把持部25との摩擦によって間隔が調整、維持される。
【００８８】
アーム24の側面には、高さ方向に等間隔に断続的に設けられた凹凸形状のリブ24ａが形成される。また、前面及び背面には、高さの基準となる目盛24ｍ及び目盛の数値24ｎが記される。目盛24ｍは、リブ24ａの凸形状部に対応して記される大目盛24ｍ１、その間に配される中目盛24ｍ２、更に大目盛24ｍ１と中目盛24ｍ２の間に配される小目盛24ｍ３にて構成される。
【００８９】
アーム把持部25は、固定部23の軸線と直交するような軸線を有する断面略Ｃ字状で可撓性を有する。これにより、鉄筋に固定された固定部23の高さを高さ調節部24に対して一定に保つことができる。アーム把持部25は、図８（ｂ）に示すように、その表面に目盛の数値24ｎを指示する指示マーク25ａが形成される。一方、図８（ｃ）に示すように、その背面に目盛24ｍを指示する指示マーク25ｂが形成される。
【００９０】
指示マーク25ａと25ｂとは同一の高さの目盛24ｍを指示する。このため、正面の指示マーク25ａと所望の目盛24ｍとを合わせれば、背面の指示マーク25ｂと所望の目盛24ｍとも合う。
【００９１】
（スリーブ保持具21の高さ調節方法）
以上のような構成により、スリーブ保持具21のアーム24とアーム把持部25とを、目盛24ｍを見つつ、指示マーク25ａ、25ｂの位置を合わせる。アーム把持部25は、可撓性があり摩擦係数の高い樹脂部材であるため、アーム24を確実に把持する。これによって、高さの調節を段階的に行うことができ、容易且つ確実にスリーブ保持部22と固定部23との距離を変更することができる。従って、鉄筋に設置されたスリーブ保持具21に保持されるスリーブ10の高さを調節することができる。
【００９２】
（結束線固定部26の使用時の状態）
結束線固定部26の使用時の状態を説明する。図９は第２実施形態のスリーブ保持部の使用状態を示す図である。
【００９３】
図８及び図９に示すように、本実施形態においては、スリーブ保持部22に付帯する結束線固定部26の個数を３つにした。このように構成すると、図９に示すように、大きい径のスリーブ10を把持して、スリーブ保持部22が大きく開口しても、スリーブ10下方の左下方向及び右下方向に結束線を通すことができる。このため、スリーブ保持部22の高さや位置を確実に規定し、スリーブ10を容易且つ正確に保持することができる。
【００９４】
〔第３実施形態〕
図を用いて、本実施形態に係るスリーブ保持具について説明する。前述の実施形態と同様の構成については、同部材名又は同符号を付し説明を省略する。図１０は第３実施形態のスリーブ保持具31の説明図である。
【００９５】
図１０に示すように、本実施形態のスリーブ保持具31は、コンクリートの打設時に埋設する配管用のスリーブ10を保持するためのスリーブ保持部32と、スリーブ保持部32を鉄筋11ａに固定する固定部33と、スリーブ保持部32と固定部33との間隔を調整・維持する高さ調整部と、を有する。そして、高さ調整部は、スリーブ保持部32から起立したアーム34と、固定部33に連結してアームを把持するアーム把持部35とからなる。アーム把持部35はアーム34の側方を把持する。そして、アーム把持部35とアーム34との摩擦によってアーム34の位置が固定される。これにより、固定部33とスリーブ保持部32との間隔が調整、維持される。
【００９６】
また、スリーブ保持部32には、結束線を用いて、下方の鉄筋11ｂに固定する結束線固定部36ａ、36ｂ、36ｃを有する。尚、スリーブ保持部32の構成は前述の実施形態のスリーブ保持部22と同様であり、結束線固定部36の構成は、結束線固定部26と同様である。また、アーム34の構成はアーム24と同様であり、アーム把持部35の構成はアーム把持部25と同様である。また、各部の材質などは、前述の実施形態と略同様なので、説明を省略する。
【００９７】
（固定部33の構成について）
本実施形態の特徴部分である固定部33について、図を用いて詳細に説明する。図１１は第３実施形態のスリーブ保持具31の固定部33の説明図であり、（ａ）が上面図、（ｂ）が正面図、（ｃ）が側面図、（ｄ）が背面図である。図１２は第３実施形態の固定部33の断面図（小径の鉄筋11ａを把持）である。
【００９８】
図１１乃至図１２に示すように、固定部33は、第一支持部33ａ、第二支持部33ｂ、第三支持部33ｃ、第四支持部33ｄの各部材を一体的に樹脂成型したものである。
【００９９】
第一支持部33ａは、鉄筋11ａの軸方向に所定の長さＬ１（図１１（ａ）参照）を有するとともに、所定の曲率（半径）Ｒ１を有する円弧断面の部分である。ここで、所定の曲率Ｒ１とは、固定部33に固定される鉄筋11ａの最小径の曲率をいう。
【０１００】
第二支持部33ｂは、図１２に示すように、第一支持部33ａの一方の円弧端33ａ１を支点Ｍとして回動自在に連結する円弧断面の部分である。第二支持部33ｂは、第一支持部33ａと同一の曲率Ｒ１と第一支持部33ａより短い長さＬ２（図１１（ａ）参照）とを有する。
【０１０１】
第三支持部33ｃは、第二支持部33ｂと同一側の円弧端に第二支持部と重なる部分を切り欠いて第一支持部33ａと固定的に連結する。第三支持部33ｃは、図１１（ｃ）に示すように、第一支持部33ａや第二支持部33ｂよりも大きな曲率（半径）Ｒ２の円弧断面であり、軸方向の長さは第一支持部33ａと同一の軸方向長さＬ１である。また、図１２（ａ）に示すように、第二支持部33ｂの弧長Ｌ３よりも長い弧長Ｌ４を有する。ここで、本実施形態の曲率Ｒ２は、固定部33に固定される鉄筋11ａの最大径の曲率とする。
【０１０２】
第四支持部33ｄは、第三支持部33ｃにおける第一支持部33ａと連結しない側の円弧端33ｃ１（図１２参照）に回動自在に連結する円弧断面を有する。第四支持部33ｄは、第三支持部33ｃと同一の曲率Ｒ２と同一の軸方向長さＬ１とを有する。
【０１０３】
また、第一支持部33ａ乃至第四支持部33ｄは、樹脂部材で一体成形される。このため、外側へ開く方向に押される力には、その力に抗した復元力が働く。
【０１０４】
また、図１２に示すように、第一支持部33ａの他方の円弧端33ａ２は、第四支持部33ｄの円弧端33ｄ１を所定の曲率Ｒ１で延長した円弧上に位置する。これにより、最小径の鉄筋11ａに固定した場合でも、第四支持部33ｄの円弧端33ｄ１が鉄筋11ａに当接する。
【０１０５】
また、第二支持部33ｂの外面の円弧方向の中央部には、突起部33ｂ１が形成される。突起部33ｂ１は、第二支持部33ｂの円弧と第一支持部33ａの円弧の中心が一致した場合、第三支持部33ｃの切欠部の弦33ｃ２に接する高さを持つ。
【０１０６】
（小径の鉄筋11ａに固定される場合）
図１２及び図１３を用いて、固定部33が小径の鉄筋11ａに固定される場合について説明する。図１３は第３実施形態のスリーブ保持具31の斜視図（小径の鉄筋を把持）である。
【０１０７】
最小径Ｒ１の鉄筋11ａを固定部33に固定する場合、第一支持部33ａ及び第二支持部33ｂの曲率もＲ１である。このため、図１２及び図１３に示すように、鉄筋11ａは、第一支持部33ａの内面と第二支持部33ｂの内面に当接する。また、上述のように、固定部33は、最小径の鉄筋11ａを把持した場合にも、第四支持部33ｄの円弧端33ｄ１が当接するように構成される。このため、鉄筋11ａは、少なくとも第一支持部33ａの内面、第二支持部33ｂの内面、円弧端33ｄ１の３点以上で支持される。
【０１０８】
このように支持された状態で、固定部33を不図示の結束線で巻くと、固定部33が鉄筋11ａに固定される。このとき、結束線は、上記３点の他、第二支持部33ｂの上部を通すように巻くとよい。図１２及び図１３に示すように、第二支持部33ｂには突起部33ｂ１があり、突起部33ｂ１は第三支持部33ｃの切欠部の弦33ｃ２に接する高さを持つ。このため、結束線を突起部33ｂ１に当接するように巻くと、結束線が突起部33ｂ１を押圧し、第二支持部33ｂが鉄筋11ａを押圧することとなる。すると、鉄筋11ａの径が小さくても、結束線の力が確実に鉄筋11ａに伝わる。この結果、固定部33は鉄筋11ａを確実に把持することができる。
【０１０９】
尚、図１２（ｂ）に示すように、鉄筋11ａは、第一支持部33ａの円弧端33ａ１と円弧端33ａ２と当接する。ここで、第一支持部33ａの両円弧端33ａ１、33ａ２を含む面（図１２（ｂ）で円弧端33ａ１と円弧端33ａ２を結ぶ線を含む面）は、スリーブを配置する壁もしくは梁の面と平行とする。すると、小径の鉄筋11ａの芯Ｏは、各円弧端33ａ１、33ａ２を結んだ線に対して垂直二等分線（この線を基準線ｓとする）上にあることになる。従って、壁等が鉛直に立っていると、基準線ｓは水平となり、芯Ｏの高さは基準線ｓに等しくなる。
【０１１０】
（中・大径の鉄筋11ａに固定される場合）
図１４及び図１５を用いて、固定部33が中・大径の鉄筋11ａに固定される場合について説明する。図１４は第３実施形態の固定部33の断面図（中・大径の鉄筋11ａを把持）である。図１５は第３実施形態のスリーブ保持具31の斜視図（大径の鉄筋11ａを把持）である。
【０１１１】
図１４（ａ）に示すように、半径Ｒ３が、Ｒ１より大きくＲ２より小さい中径（Ｒ１＜Ｒ３＜Ｒ２）の鉄筋11ａを固定部33にて把持した場合、鉄筋11ａは第一支持部33ａの内周面に当接しない。この場合、第一支持部33ａの円弧端33ａ１と円弧端33ａ２とを支点として固定される。
【０１１２】
また、第二支持部33ｂの内周面の曲率Ｒ１よりも、鉄筋11ａの半径Ｒ３の方が大きいため、第二支持部33ｂの内周面にも当接しない。この場合、第二支持部33ｂの円弧端33ａ１と反対方向の円弧端33ｂ２が鉄筋11ａに当接することになる。尚、固定部33は可撓性のある樹脂部材であるため、第二支持部33ｂは、その材質の持つ復元力により、鉄筋11ａを付勢する。更に同様に、第四支持部33ｄの円弧端33ｄ１も、鉄筋11ａを付勢当接する。
【０１１３】
このように、固定部33によって、中径の鉄筋11ａを把持する場合には、円弧端33ａ１、円弧端33ａ２、円弧端33ｂ２、円弧端33ｄ１の少なくとも４点以上で支持される。このように支持された状態で、上述のように結束線で巻くことにより鉄筋11ａを押圧付勢し、より確実に鉄筋11ａを把持することができる。
【０１１４】
また、図１４（ａ）に示すように、鉄筋11ａは第一支持部33ａの円弧端33ａ１と円弧端33ａ２と当接する。すると、中径の鉄筋11ａの芯Ｐは、各円弧端33ａ１、33ａ２を結んだ線に対して垂直二等分線上にある。このため、上述の基準線ｓと重なる。このように、鉄筋11ａが小径であっても中径であっても、鉄筋11ａの芯の位置が同じ基準線ｓ上にあるため、固定部33が異なる径を有する鉄筋を把持しても、鉄筋の芯からスリーブ10の位置までの間隔を一定に保つことができる。
【０１１５】
図１４（ｂ）及び図１５に示すように、固定部33が、半径Ｒ２である最大径の鉄筋11ａを把持する場合であっても同様な効果を奏する。これについて説明する。
【０１１６】
この場合、図１４（ｂ）に示すように、円弧端33ａ１、円弧端33ａ２、円弧端33ｂ２が支点となる。また、第三支持部33ｃ及び第四支持部33ｄの曲率Ｒ２は、大径の鉄筋11ａと同様であるため、鉄筋11ａは第三支持部33ｃ及び第四支持部33ｄの内周面と当接して支持される。このように支持された状態で、上述のように結束線で巻くことにより鉄筋11ａを押圧付勢し、より確実に鉄筋11ａを把持することができる。
【０１１７】
また、図１４（ｂ）に示すように、鉄筋11ａは第一支持部33ａの円弧端33ａ１と円弧端33ａ２と当接する。すると、大径の鉄筋11ａの芯Ｑは、各円弧端33ａ１、33ａ２を結んだ線に対して垂直二等分線上となり、上述の基準線ｓと重なる。このため、上述と同様の理由により、固定部33が異なる径を有する鉄筋を把持しても、鉄筋の芯からスリーブ10の位置までの間隔を一定に保つことができる。
【０１１８】
鉄筋の径によらず、鉄筋の芯からスリーブ10の位置までの間隔を一定に保たれることの具体的な効果について説明する。
【０１１９】
例えば、図３、図４に示された基礎工事において第１実施形態のスリーブ保持具１に替えて第３実施形態のスリーブ保持具31を適用した場合、基準位置Ａと設置位置Ｂにおいて鉄筋11ａの径が異なったとしても、鉄筋11ａの中心の高さが同一に設定されてさえいれば、スリーブ保持具の基準線ｓの高さは同一になる。従って、スリーブ保持具の高さの差の設定する際に、鉄筋11ａの径の違いを考慮する必要がなく、効率的にスリーブの設置作業を行なう事ができる。
【産業上の利用可能性】
【０１２０】
本発明は、工業化住宅など、モジュール、基礎断面形状、鉄筋の径や位置などが規格化されるとともに、スリーブの配設高さがある程度の範囲に限定される構造物において特に効果を発揮し利用価値が高い。
【０１２１】
また、本発明は、コンクリート打設の際に限らず、配管の勾配に応じて高さを調節する継手としても利用可能である。また、建築排水工事全般、土木排水工事全般に利用することができる。
【図面の簡単な説明】
【０１２２】
【図１】第１実施形態のスリーブ保持具の説明図。
【図２】第１実施形態のスリーブ保持具の使用状態を示す斜視図。
【図３】第１実施形態の住宅の基礎工事の際に使用される施工図（基礎伏図）。
【図４】第１実施形態の配管が挿通されるスリーブを保持する様子を示す図。
【図５】第１実施形態の変形例の、嵌合突起及び嵌合溝の形状を示す図。
【図６】第１実施形態の変形例の、嵌合突起及び嵌合溝の構成を示す図。
【図７】第１実施形態の変形例の、高さ調節部の構成を示す図。
【図８】第２実施形態の高さ調節部及びスリーブ保持部の構成を示す図。
【図９】第２実施形態のスリーブ保持部の使用状態を示す図。
【図１０】第３実施形態のスリーブ保持具31の説明図。
【図１１】第３実施形態のスリーブ保持具31の固定部33の説明図。
【図１２】第３実施形態の固定部33の断面図（小径の鉄筋11ａを把持）。
【図１３】第３実施形態のスリーブ保持具31の斜視図（小径の鉄筋を把持）。
【図１４】第３実施形態の固定部33の断面図（中・大径の鉄筋11ａを把持）。
【図１５】第３実施形態のスリーブ保持具31の斜視図（大径の鉄筋11ａを把持）。
【符号の説明】
【０１２３】
Ａ…基準位置、Ｂ…設置位置、Ｍ…支点、Ｏ…小径の鉄筋の芯、Ｐ…中径の鉄筋の芯、Ｑ…大径の鉄筋の芯、Ｒ１…曲率、Ｒ２…曲率、ｓ…基準線、１…スリーブ保持具、２…スリーブ保持部、３…固定部、３ａ…結束手段固定突起、３ｂ…結束手段固定突起、３ｃ…切欠部、４…高さ調節部、４ａ…内部、４ａ１…嵌合突起、４ａ２…嵌合突起、４ａ３…嵌合突起、４ａ４…嵌合突起、４ａ５…嵌合突起、４ｂ…外部、４ｂ１…嵌合溝、４ｂ２…嵌合溝、４ｂ３…嵌合溝、４ｂ４…嵌合溝、４ｂ５…嵌合溝、５…結束線固定部、６…マーク、７…係止部、７ａ…穴、８…摺り下がり防止突起、10…スリーブ、11ａ…鉄筋、11ｂ…鉄筋、12…結束線、13…結束バンド、14…結束バンド、21…スリーブ保持具、22…スリーブ保持部、22ａ…切込部、22ｂ…リブ、23…固定部、24…アーム、24ａ…リブ、24ｍ…目盛、24ｍ１…大目盛、24ｍ２…中目盛、24ｍ３…小目盛、24ｎ…数値、25…アーム把持部、25ａ…指示マーク、25ｂ…指示マーク、26…結束線固定部、26ａ…結束線固定部、26ｂ…結束線固定部、26ｃ…結束線固定部、31…スリーブ保持具、32…スリーブ保持部、33…固定部、33ａ…第一支持部、33ａ１…円弧端、33ａ２…円弧端、33ｂ…第二支持部、33ｂ１…突起部、33ｂ２…円弧端、33ｃ…第三支持部、33ｃ２…弦、33ｄ…第四支持部、33ｄ１…円弧端、34…アーム、35…アーム把持部、36ａ…結束線固定部、36ｂ…結束線固定部、36ｃ…結束線固定部
【図１】
2007071014.tif 000003
【図２】
2007071014.tif 000004
【図３】
2007071014.tif 000005
【図４】
2007071014.tif 000006
【図５】
2007071014.tif 000007
【図６】
2007071014.tif 000008
【図７】
2007071014.tif 000009
【図８】
2007071014.tif 000010
【図９】
2007071014.tif 000011
【図１０】
2007071014.tif 000012
【図１１】
2007071014.tif 000013
【図１２】
2007071014.tif 000014
【図１３】
2007071014.tif 000015
【図１４】
2007071014.tif 000016
【図１５】
2007071014.tif 000017